(57)【要約】【課題】媒体のサイズが異なってもそれに応じて媒体を揃えることができる媒体処理装置を提供することを目的とする。【解決手段】集積部に紙幣Ｐを１枚ずつ放出し、放出された紙幣Ｐを放出方向に揃える処理装置において、放出された紙幣Ｐが突き当てられることにより紙幣Ｐの放出を停止する停止部材３６と、停止部材３６に対向して回転可能に設けられ、弾性変形可能な整位ベルト２９とを設けたことを特徴とするものである。弾性変形可能な整位部材２９で紙幣Ｐを揃えるようにしたので、紙幣Ｐのサイズが変わってもそれに対応して媒体を揃えることができる。【選択図】  図１
2008013303.tif 000002
【特許請求の範囲】
【請求項１】
集積部に媒体を１枚ずつ放出し、放出された媒体を放出方向に揃える媒体処理装置において、
放出された媒体が突き当てられることにより媒体の放出を停止する突き当て部材と、
前記突き当て部材に対向して移動可能に設けられ、弾性変形可能な弛み部材とを設けたことを特徴とする媒体処理装置。
【請求項２】
前記弛み部材は、媒体の放出方向に弾性変形する請求項１記載の媒体処理装置。
【請求項３】
前記弛み部材は無端状のベルトであり、該ベルトを駆動プーリに押付部材により押付けることにより該ベルトに弛みを与える請求項２記載の媒体処理装置。
【請求項４】
前記駆動プーリは歯部を有し、前記無端状のベルトは内側に前記歯部と噛み合う歯部を有する請求項３記載の媒体処理装置。
【請求項５】
前記駆動プーリの歯部は部分歯であり、前記駆動プーリには、前記集積部に媒体を放出する搬送ローラの回転が伝達される請求項４記載の媒体処理装置。
【発明の詳細な説明】
【技術分野】
【０００１】
本発明は、媒体を１枚ずつ集積部に集積し、集積した媒体を揃える媒体処理装置に関する。
【背景技術】
【０００２】
従来、媒体を集積する集積部を有する媒体処理装置として、銀行等の金融機関に設置される紙幣結束整理装置がある。この紙幣結束整理装置においては、装置に投入された紙幣を集積部まで１枚ずつ搬送して集積部に集積し、所定の枚数が集積されると、結束して整理するようにしている。集積部は移動可能な載置板を具備し、搬送されてきた紙幣は１枚ずつ載置板上に載置される。紙幣は、搬送ローラの回転により放出されるように集積部に集積されるが、集積部には放出される紙幣が突き当たる突き当て壁と、この突き当て壁と対向した整位機構が設けられ、これらの突き当て壁と整位機構との間で紙幣を放出方向に揃えるようにしていた。
【０００３】
このような集積部を有する装置として、例えば、特開２００２−１９７５０９号公報に開示するものが挙げられる。
【特許文献１】特開２００２−１９７５０９号公報
【発明の開示】
【発明が解決しようとする課題】
【０００４】
しかしながら上記従来の媒体処理装置においては、媒体を揃えるための整位機構が固定幅になっているので、予め決められた幅の媒体しか揃えることができず、サイズの異なる媒体に対応できないという問題があった。
【０００５】
そこで本発明は、媒体のサイズが異なってもそれに応じて媒体を揃えることができる媒体処理装置を提供することを目的とする。
【課題を解決するための手段】
【０００６】
上記課題を解決するために本発明は、集積部に媒体を１枚ずつ放出し、放出された媒体を放出方向に揃える媒体処理装置において、放出された媒体が突き当てられることにより媒体の放出を停止する突き当て部材と、前記突き当て部材に対向して移動可能に設けられ、弾性変形可能な弛み部材とを設けたことを特徴とするものである。
【発明の効果】
【０００７】
本発明によれば、弾性変形可能な弛み部材で媒体を揃えるようにしたので、媒体のサイズが変わってもそれに対応して媒体を揃える機能を発揮することができる。
【発明を実施するための最良の形態】
【０００８】
以下、本発明の実施の形態を図面にしたがって説明する。各図面に共通する要素には同一の符号を付す。図１は実施の形態の紙幣整理装置の集積部を示す側面図、図２は実施の形態の紙幣整理装置を示す外観図、図３は実施の形態の紙幣整理装置を示す構成図である。なお本実施の形態では媒体処理装置として紙幣整理装置を例に説明する。まず、図２および図３にしたがって紙幣整理装置について説明する。
【０００９】
図２、図３において、１は紙幣の投入部で、装置正面の上部に設けられている。２は紙幣の真偽、金種、正損、表裏等の鑑別、及び計数を行うと共に、搬送異常の検出を行う鑑別部で、装置内に設けられている。３は紙幣の搬送路で、投入された紙幣を各部へ搬送する。４は紙幣の表裏反転を行う表裏反転部で、装置内の鑑別部２の紙幣搬送方向後段に位置するように設けられている。
【００１０】
５は結束対象外の金種の紙幣を集積するオープンポケットで、装置の上面に設けられており、このオープンポケット５に集積された紙幣はオペレータが直接アクセスできるものとなっている。６は集積機構で、本実施の形態においてこの集積機構６には縦一列に４つの一時集積部６ａ〜６ｄが並べて装置内に設けられており、各一時集積部６ａ〜６ｄにそれぞれ予め定められた枚数、例えば本実施の形態では１００枚の紙幣が集積できるようになっている。尚、一時集積部の数は４つに限られない。
【００１１】
７は前記投入部１の一側に設けられた操作部で、この操作部７には図４に示すように、紙幣の計数を指示する計数開始ボタン７ａ、装置の障害復旧時に装置を再稼働させるためのリセットボタン７ｂ、計数及び結束処理の完了を指示する完了ボタン７ｃが設けられている。なお図４は操作部を示す説明図である。８は鑑別部２で金種不明と鑑別されたりあるいは搬送異常が検知されたリジェクト紙幣を集積するリジェクトポケットで、前記投入部１の上方に設けられており、このリジェクトポケット８に集積された紙幣にオペレータが直接アクセスできるものとなっている。
【００１２】
９は移送機構で、各一時集積部６ａ〜６ｄに集積された所定枚数（例えば１００枚）の紙幣を下方に配置された紙幣結束機構１０に移送する。移送機構９は上下方向に昇降可能で、紙幣をクランプするためのクランプ部を有する。紙幣結束機構１０は、図示していないが、ローラ及びベルト等から成る搬送手段と、結束用のテープと、印字手段と、テープを供給するテープ供給手段と、テープを所定の長さに切断するカッターと、結束手段を備えており、１００枚の紙幣にテープを巻き掛けて結束することにより紙幣束を作る。
【００１３】
１１は紙幣束の放出口、１２は装置正面に設けられた扉で、この扉１２を開けることでオペレータは集積機構にアクセスできるものなっている。１３は装置上面においてオープンポケット５の後方に位置するように設けられた操作表示部で、ＬＣＤとその表面に配置したタッチパネルによって構成されており、オペレータはこの操作表示部１３を操作してモードの指定や、一時集積部６ａ〜６ｄに集積する紙幣に金種、集積順序等の設定を行うものとなっている。また、この操作表示部１３には鑑別部２で鑑別された紙幣の金種や正損及び計数結果等の表示も行われる。
【００１４】
次に図１及び図５にしたがって集積機構について説明する。集積機構６には、前述のように４つの一時集積部６ａ〜６ｄが上下方向に並べて配置されており、これらの一時集積部６ａ〜６ｄは同一の構造を有しているので、以下に一時集積部６ａを例に取って説明する。図５は実施の形態の集積機構を示す斜視図である。
【００１５】
図１、図５において、２個の搬送ローラ２０が軸２１に取付けられている。搬送ローラ２０に圧接して圧接ローラ２２が設けられている。搬送ローラ２０と圧接ローラ２２により紙幣が集積部２３内に放出される。搬送ローラ２０の両側には叩き羽根車２４が設けられている。叩き羽根車２４の外周には可撓性を有する羽根部２５が複数設けられている。
【００１６】
搬送ローラ２０と叩き羽根車２４の間には整位ベルトプーリ２６が設けられている。整位ベルトプーリ２６は軸２１に取付けられ、軸２１の回転により回転する。整位ベルトプーリ２６は、図６に示すように、外周部２７に部分歯２７ａが形成されている。それ以外の外周部２７ｂは平滑部として整位ベルトに対して滑るように円弧形状に形成されている。整位ベルトプーリ２６には押さえローラ２８により弛み部材としての整位ベルト２９が押し付けられている。
【００１７】
整位ベルト２９は、弾性変形可能で、集積部２３側に弛みを持たせた状態で配設されている。整位ベルト２９の内側には歯部３０が形成されており、この歯部３０は整位ベルトプーリ２６の部分歯２７ａと噛み合い可能である。整位ベルト２９は整位ベルトプーリ２６と下方に配置された下部プーリ３１との間に弛みを持たせた状態で掛け渡されている。整位ベルト２９の弛みが集積部２３側に位置するように、集積部２３の反対側には押えローラ３２が整位ベルト２９を押し付けるように整位ベルト２９に接触して回転可能に設けられている。
【００１８】
搬送ローラ２０の周速は、紙幣の搬送速度に合わせて高速であるが、紙幣搬送方向の紙幣端部を揃える整位ベルト２９の周速は紙幣の端部に必要以上の負荷を与えず、整位ベルト２９の回転につられてベルト回転方向に紙幣が巻き込まれない速度まで低下させる必要がある。
【００１９】
そのために本実施の形態では、整位ベルトプーリ２６の径を搬送ローラ２０の径よりも小さくしてプーリ径の周速を落としている。それに加えて、整位ベルトプーリ２６の外周部２７を、部分歯２７ａと平滑部２７ｂとすることにより、整位ベルトプーリ２６の１回転中に整位ベルト２９に伝達される回転量を減らすようにしている。整位ベルト２９は、回転と停止を繰り返すいわゆる間欠回転を行う。
【００２０】
集積部２３は、搬送され、放出された紙幣Ｐが載置される載置部材３５、放出された紙幣Ｐの先端部が突き当たる停止部材３６、載置部材３５に対向してその上方に配置されるクランプ部材３７とで構成される。クランプ部材３７は載置部材３５上に載置された紙幣Ｐが１００枚に達すると載置部材３５に向けて下降し、図３に示す移送機構９に紙幣Ｐを受け渡しやすいように紙幣Ｐを一定の厚さまで押しつぶす。
【００２１】
ここで集積機構６ａの動作を説明する。図１において、搬送ローラ２０は矢印Ａ方向に回転し、搬送ローラ２０と圧接ローラ２２により搬送される紙幣Ｐは、停止部材３６に向けて放出される。停止部材３６に先端部が突き当たることにより、紙幣Ｐは搬送を停止される。速度を失った紙幣Ｐの後端部が叩き羽根車２４の羽根部２５により上方から叩かれ、紙幣Ｐは載置部材３５上に落下する。
【００２２】
このとき整位ベルトプーリ２６は、搬送ローラ２０と同方向（矢印Ａ方向）に同回転数で回転している。整位ベルトプーリ２６の部分歯２７ａは、押さえローラ２８側に来たときに整位ベルト２９の歯部３０と噛み合う。そしてこのとき整位ベルト２９は整位ベルトプーリ２６により矢印Ｂ方向に回転する。整位ベルトプーリ２６の部分歯２７ａは、押さえローラ２８側より上方へ移動すると、整位ベルト２９の歯部３０から外れる。このため整位ベルト２９は、回転を停止する。
【００２３】
整位ベルトプーリ２６が更に回転して、その部分歯２７ａが再び押さえローラ２８側に来ると、整位ベルト２９の歯部３０と噛み合い、整位ベルト２９は再び一定量だけ回転する。このように、整位ベルト２９は、整位ベルトプーリ２６の１回転の間に回転と停止を交互に繰り返す間欠回転を行う。
【００２４】
次に紙幣整理装置の動作を説明する。ここでは一例として紙幣搬送方向の長さが異なる紙幣、例えば、韓国紙幣の旧万ウォン券（搬送方向の長さが７６ｍｍ）と同じく韓国紙幣の新五千ウォン券（搬送方向の長さが６８ｍｍ）を処理する場合を例に説明する。
【００２５】
まずオペレータは旧万ウォン券と新五千ウォン券とが混在した紙幣の束を投入部１にセットする。そして操作部７の計数開始ボタン７ａを押下すると、セットした紙幣が１枚ずつ装置内に取り込まれる。取り込まれた紙幣は、搬送路３を搬送されて鑑別部２へ送られる。鑑別部２で図示しないセンサにより、紙幣の真偽、金種、表裏、正損の鑑別に加えて、さらに紙幣の計数および搬送異常の有無の検出が行われる。これらの鑑別結果情報、計数情報および搬送異常情報は鑑別部２から図示しない装置の制御部へ送られる。
【００２６】
鑑別部２で結束対象外と鑑別された紙幣は、搬送路３を搬送されてオープンポケット５へ送られる。また鑑別部２で偽紙幣あるいは金種不明と鑑別された紙幣、あるいは重送等の搬送異常が検出された紙幣は、搬送路３を通してリジェクトポケット８に搬送される。鑑別の結果、真券で旧万ウォンまたは新五千ウォンと鑑別された紙幣は、正損の鑑別結果に拘わらず、搬送路３を搬送されて、表裏反転部４で紙幣の表裏を反転されて、集積機構６の一時集積部６ａ〜６ｄまで搬送される。
【００２７】
集積機構６において紙幣は金種別に異なる一時集積部６ａ〜６ｄに集積される。本実施の形態では、新五千ウォン券を一時集積部６ａ、６ｂに集積し、旧万ウォン券を一時集積部６ｃ、６ｄに集積するものとする。一例としてここでは新五千ウォン券が一時集積部６ａに集積される場合を図７を用いて説明する。図７は実施の形態の集積動作を示す側面図である。
【００２８】
図７において、一時集積部６ａに搬送されてきた新五千ウォン券Ｐ１は、搬送ローラ２０と圧接ローラ２２の回転により矢印Ｃ方向に搬送され、停止部材３６に向けて放出される。搬送ローラ２０と圧接ローラ２２との間のニップ部を抜け出た新五千ウォン券Ｐ１は、集積部２３の上部を滑空し、先端部が停止部材３６に突き当たる。これにより紙幣Ｐ１は搬送速度を失い、紙幣Ｐ１の後端部は、搬送ローラ２２と同軸上の叩き羽根車２４の羽根部２５により上方から下方に向けて叩かれ、紙幣Ｐ１は落下する。
【００２９】
このとき、搬送ローラ２０と同軸上の整位ベルトプーリ２６は搬送ローラ２２と同方向に同回転数で回転している。整位ベルトプーリ２６の部分歯２７ａは、押さえローラ２８側に来たとき、整位ベルト２９の歯部３０と噛み合い、この噛み合いにより、整位ベルト２９を矢印Ｂ方向に回転させる。このとき整位ベルト２９は、集積部２３側に弛み部２９ａを持った状態で回転する。落下した新五千ウォン券Ｐ１の後端部は、整位ベルト２９の弛み部２９ａに接触し、整位ベルト２９の回転により下方へ移動する。
【００３０】
整位ベルトプーリ２６の部分歯２７ａは、押さえローラ２８側より上方へ回転すると、整位ベルト２９の歯部３０から外れ、整位ベルト２９は、回転を停止する。このとき新五千ウォン券Ｐ１は、下方への移動を停止するか、または自重で落下する。整位ベルトプーリ２６が更に回転して、その部分歯２７ａが再び押さえローラ２８側に来ると、整位ベルト２９の歯部３０と噛み合い、整位ベルト２９は再び一定量だけ回転する。このように、整位ベルト２９は、整位ベルトプーリ２６の１回転の間に回転と停止を交互に繰り返す間欠回転を行う。
【００３１】
整位ベルト２９の間欠回転により、新五千ウォン券Ｐ１は徐々に下方に移動し、その際に整位ベルト２９の弛み部２９ａで停止部材３６方向へ付勢され、先端部が停止部材３６に突き当たるまで移動する。整位ベルト２９の弛み部２９ａは、紙幣が集積部２３に全くない場合は、停止部材３６との距離は新五千ウォン券Ｐ１の搬送方向の幅Ｌ（６８ｍｍ）よりも若干短く設定してあり、弛み部２９ａが紙幣Ｐ１に押し返されて弾性変形することにより、図８に示すように、紙幣Ｐ１を載置部材３５上に搬送方向に揃えて集積することができる。図８は実施の形態の集積された状態を示す側面図である。
【００３２】
以上のように新五千ウォン券Ｐ１は整位ベルト２９により搬送方向（放出方向）に揃えられながら集積されるが、整位ベルト２９が間欠回転することにより、紙幣Ｐ１が過度に下方へ移動させられることはなく、そのため紙幣Ｐ１の後端部が整位ベルト２９と載置部材３５の間の隙間に巻き込まれることはない。
【００３３】
新五千ウォン券Ｐ１が集積部２３の載置部材３５上に所定枚数（１００枚）集積されると、図示しないゲート振り分け機構が駆動されて、これ以降の新五千ウォン券Ｐ１は一時集積部６ｂに集積される。１００枚の紙幣Ｐ１が集積された一時集積部６ａにおいては、載置部材３５が上昇するとともにクランプ部材３７が載置部材３５に向けて下降する。これにより１００枚の新五千ウォン券Ｐ１が挟持され、皺等の有無に関係なく一定の厚みにされる。
【００３４】
載置部材３５とクランプ部材３７により挟持された新五千ウォン券Ｐ１は、図３に示す、クランプ部を有する移送機構９によりクランプされ、さらに紙幣結束機構１０に移送される。紙幣結束機構１０は、図示しない受け取りレシーバにより束の紙幣Ｐ１を受け取り、図示しない結束手段により紙幣Ｐ１にテープを巻きつけて結束する。結束された新五千ウォン券Ｐ１は放出口１１から装置外へ放出される。
【００３５】
次に旧万ウォン券の集積動作について図９を用いて説明する。図９は実施の形態の集積動作を示す側面図である。図９において、旧万ウォン券Ｐ２は一時集積部６ｃに集積される。旧万ウォン券Ｐ２の場合も、整位ベルト２９は回転と停止を繰り返す間欠回転を行うが、旧万ウォン券Ｐ２の場合は搬送方向の幅が大きいので、整位ベルト２９の弛み部２９ａと停止部材３６との距離を新五千ウォン券Ｐ１の場合よりも大きくとる必要があるが、弛み部２９ａは弾性変形するので、図９に示すように、大きく変形した状態で紙幣Ｐ２の後端部を規制する。弾性変形により整位ベルト２９は紙幣Ｐ２を停止部材３６の方向に付勢する力を付与され、この付勢力により、載置部材３５上に落下してくる紙幣Ｐ２を搬送方向に揃える。
【００３６】
旧万ウォン券Ｐ２が、図１０に示すように、集積部２３の載置部材３５上に所定枚数（１００枚）集積されると、図示しないゲート振り分け機構が駆動され、これ以降の旧万ウォン券Ｐ２は一時集積部６ｄに集積される。１００枚の旧万ウォン券Ｐ２が集積された一時集積部６ｃにおいては、載置部材３５が上昇するとともにクランプ部材３７が載置部材３５に向けて下降する。これにより１００枚の旧万ウォン券Ｐ２が挟持され、皺等の有無に関係なく一定の厚みにされる。
【００３７】
載置部材３５とクランプ部材３７により挟持された旧万ウォン券Ｐ２は、図３に示す、クランプ部を有する移送機構９によりクランプされ、さらに紙幣結束機構１０に移送される。紙幣結束機構１０は、図示しない受け取りレシーバにより束の紙幣Ｐ２を受け取り、図示しない結束手段により紙幣Ｐ２にテープを巻きつけて結束する。結束された旧万ウォン券Ｐ２は放出口１１から装置外へ放出される。
【００３８】
１００枚以降の新五千ウォン券Ｐ１および１００枚以降の旧万ウォン券Ｐ２は上述のようにそれぞれ一時集積部６ｂ、６ｄに集積されるが、すべての紙幣の集積が完了したとき、各一時集積部６ａ〜６ｄに残った端数の紙幣については、図２に示す扉１２を開けることにより装置外に取り出される。
【００３９】
以上のように本実施の形態によれば、弛み部２９ａを有する弾性変形可能な整位ベルト２９により紙幣を搬送方向に揃えるようにしたので、搬送方向にサイズの異なる媒体に対しても、同一の構成の機構で搬送方向に揃えることが可能となる効果を奏する。
【００４０】
また、整位ベルト２９を回転と停止を交互に繰り返す間欠回転させることにより、整位ベルト２９の周速を紙幣Ｐの落下速度程度まで低下させることが可能となり、紙幣Ｐの後端部に対して必要以上の負荷がかからず、紙幣Ｐの後端部が整位ベルト２９に巻き込まれることはない。
【００４１】
上記実施の形態では、整位ベルト２９の外れ防止手段として押さえローラ２８および押えローラ３２を配置しているが、外れ防止手段としてこの他に、板バネ等の押さえ部材を使用可能である。また整位ベルト２９については、上記実施の形態では、図５に示すように、幅狭のものを用いた例で説明したが、利用媒体によってはベルト幅の広いものを用いてもよい。
【００４２】
また、上記実施の形態では、サイズの異なる外国紙幣を一時集積部に集積する装置の例で説明したが、本発明の媒体処理装置は紙幣を集積する装置に限定されるものではなく、例えば、株券等の有価証券類、航空券等の交通チケット類、映画や遊興施設における入場券チケット類、宝くじや競馬等における券類など、各種の複数サイズを有する紙媒体やカード媒体などを集積する機構を有する装置にも適用可能である。
【図面の簡単な説明】
【００４３】
【図１】実施の形態の紙幣整理装置の集積機構を示す側面図である。
【図２】実施の形態の紙幣整理装置を示す外観図である。
【図３】実施の形態の紙幣整理装置を示す構成図である。
【図４】操作部を示す説明図である。
【図５】実施の形態の集積機構を示す斜視図である。
【図６】整位ベルトプーリを示す説明図である。
【図７】実施の形態の集積動作を示す側面図である。
【図８】実施の形態の集積された状態を示す側面図である。
【図９】実施の形態の集積動作を示す側面図である。
【図１０】実施の形態の集積された状態を示す側面図である。
【符号の説明】
【００４４】
６  集積機構
６ａ〜６ｄ  一時集積部
２０  搬送ローラ
２２  圧接ローラ
２３  集積部
２６  整位ベルトプーリ
２７ａ  部分歯
２９  整位ベルト
Ｐ１  新五千ウォン券
Ｐ２  旧万ウォン券
【図１】
2008013303.tif 000003
【図２】
2008013303.tif 000004
【図３】
2008013303.tif 000005
【図４】
2008013303.tif 000006
【図５】
2008013303.tif 000007
【図６】
2008013303.tif 000008
【図７】
2008013303.tif 000009
【図８】
2008013303.tif 000010
【図９】
2008013303.tif 000011
【図１０】
2008013303.tif 000012